(57)【要約】      （修正有）【課題】幼児が乗っても、大人が乗っても、足首や膝を痛めることなく、手軽に跳躍運動ができるジャンピングボードを提供する。【解決手段】長方形の跳躍板２と、楕円筒の中央部分を、その楕円の長軸の半分まで楕円の筒壁を取り除き、断面が半楕円形の開口部を設けた弾性補強材３と、弾性補強材３をつなぐ連結板４と、連結板４の中央に取り付けるクッション材９とからなり、弾性補強材は、跳躍板の裏面に長方形の両短辺に沿って開口部を向かい合わせて跳躍板に接合され、向かい合う弾性補強材の接地部の開口部中央部に連結板が接合され、向かい合う弾性補強材は、連結板により互いに連結され、連結板の中央に取り付けるクッション材が長方形の跳躍板中央部の下に位置する構造であって、跳躍板、弾性補強材、連結板ともにガラス繊維強化プラスチックで成形されるジャンピングボードである。【選択図】図４
0003161121.tif 000002
【実用新案登録請求の範囲】
【請求項１】
長方形の跳躍板と、楕円筒の中央部分を、その楕円の長軸の半分まで楕円の筒壁を取り除き、断面が半楕円形の開口部を設けた弾性補強材と、弾性補強材をつなぐ連結板と、連結板の中央に取り付けるクッション材とからなり、弾性補強材は、跳躍板の裏面に長方形の両短辺に沿って開口部を向かい合わせて跳躍板に接合され、向かい合う弾性補強材の接地部の開口部中央部に連結板が接合され、向かい合う弾性補強材は、連結板により互いに連結され、連結板の中央に取り付けるクッション材が長方形の跳躍板中央部の下に位置する構造であって、跳躍板、弾性補強材、連結板ともにガラス繊維強化プラスチックで成形されるジャンピングボード。
【請求項２】
跳躍板、弾性補強材、連結板ともに、貼り重ねて積層して成形する請求項１のジャンピングボード
【請求項３】
跳躍板が芯材を発泡ウレタンとするサンドウッチ構造を有する請求項１または請求項２のジャンピングボード。
【請求項４】
跳躍版の表面に滑り止めがついた請求項１から請求項３のいずれかのジャンピングボード。
【考案の詳細な説明】
【技術分野】
【０００１】
本考案は、安全に跳躍運動ができる運動用具に関するものである。
【背景技術】
【０００２】
四角形、もしくは円形の枠を弾力性のあるロープまたはスプリングで固定し、伸縮性のある布を張り渡したトランポリンという運動器具がある。この上で人が跳躍すると反発力により、トランポリンを使用しない時の数倍もの高さにジャンプすることができ、レクリエーションや競技として幅広く親しまれている。公式競技用としては、４．３ｍ×２．１ｍのラージサイズの長方形のものがあるが、その他にスモールサイズのものや、家庭で使用する円形のものがある。これらは、跳躍による反発力が強く、高くジャンプすることができるが、危険を伴い付き添い者を必要とする。また、トランポリンに張り渡した布の地表面からの高さは、家庭用のものでも２０ｃｍ以上あり落下したときには怪我をする場合もある。
【０００３】
そこで、トランポリンに代えて、跳躍による反発力を低下させて、ジャンピングの高さを制限したスプリングとポリエチレンフォームを積層したもの、あるいはスプリングに変えて空気を入れた袋状としたもの、また、踏み外して落下した時の危険性を考慮して、高さを低くしたジャンピングボードが販売されている。
【０００４】
長年ＦＲＰ製の船舶等の製造に従事してきた本考案者は、ＦＲＰを使用したなわとび台について、実用新案登録出願をし、実用新案登録された（登録第３１５７１５０号）。本出願に係るなわとび台が、その出願後、小学校等で使用されていたとき、児童に付き添っていた主婦から、自分達や幼児が足首や膝を痛めることなく、安全にまた手軽に跳躍運動ができるジャンピングボードができないかと本考案者に話があった。
【０００５】
なわとび競技者団体からの依頼により、なわとび台について検討してきた本考案者は、ＦＲＰを使用するジャンピングボードまでは考えていなかった。しかし、この主婦の話から、なわとび台をより小さくして、持ち運び易くし、幼児が乗っても、主婦が乗っても気軽に跳躍運動ができるジャンピングボードを、先の実用新案登録出願に係るなわとび台を工夫することによりできるのではないかと思われた。
【０００６】
これまでのジャンピングボードを調べると、ベニヤ板等の可撓性部材からなる上板の裏面に、彎曲剛性を補完する弾性補強部材が設けられ、上板の両端縁は緩衝支持脚により支持されるジャンピングボード（特許文献１）、平板状の上板とこの表裏面に貼着されて上板と共に止め具にて両端縁を固定される弾性補強材と、裏面の弾性補強材に貼着される１層又は多層の弾性補強材からなるジャンピングボード（特許文献２）、ベニヤ板等の可撓性部材からなる上板の裏面に、この彎曲剛性を補完する弾性補強部材が設けられ、上板両端縁は緩衝支持脚により支持され、この緩衝支持脚の中の１つは緩衝支持脚移動機構部により上板の中心寄りに移動位置決め可能に配置されることができるジャンピングボード（特許文献３）等があった。
【０００７】
これらの先行技術では、いずれも  弾性合板としてべニア板が使用されている。特許文献１ないし３では、弾性補強部材等が使用されてはいるが、あくまで主としては、べニア板が弾性合板として使用されている。このべニア板は、接着剤が使用され、接着材は連続した衝撃には脆いという点があり、さらに木に含まれる繊維も連続した衝撃に対し弱いという点があり、破断しやすくまた耐久性が乏しいという欠点がある。さらに、べニア板では、跳躍の反発力が乏しく、足首や膝に負担がかかるとする意見もある。
【先行技術文献】
【特許文献】
【０００８】
【特許文献１】特開２００１−３７９０７号公報
【特許文献２】特開２００３−１９０３２０号公報
【特許文献３】実用新案登録第３０６６３０７号公報
【０００９】
そこで、本考案者は、先の実用新案登録出願に係るなわとび台を、クッション材を付けることにより、持ち運び易くし、幼児が乗っても、主婦が乗っても気軽に跳躍運動ができる、なわとび台を小さくしたジャンピングボードを考案するに至った。
【考案の概要】
【考案が解決しようとする課題】
【００１０】
すなわち、解決しようとする問題点は、幼児が乗っても、大人が乗っても、足首や膝を痛めることなく、手軽に跳躍運動ができるジャンピングボードを提供することにある。
【課題を解決するための手段】
【００１１】
さて、第１考案は、長方形の跳躍板と、楕円筒の中央部分を、その楕円の長軸の半分まで楕円の筒壁を取り除き、断面が半楕円形の開口部を設けた弾性補強材と、弾性補強材をつなぐ連結板と、連結板の中央に取り付けるクッション材とからなり、弾性補強材は、跳躍板の裏面に長方形の両短辺に沿って開口部を向かい合わせて跳躍板に接合され、向かい合う弾性補強材の接地部の開口部中央部に連結板が接合され、向かい合う弾性補強材は、連結板により互いに連結され、連結板の中央に取り付けるクッション材が長方形の跳躍板中央部の下に位置する構造であって、跳躍板、弾性補強材、連結板ともにガラス繊維強化プラスチックで成形されるジャンピングボードである。
【００１２】
ジャンピングボード１の表面斜視図、裏面斜視図を図１及び図２に示す。
弾性補強材３は、楕円筒の中央部分を、その楕円の長軸の半分まで楕円の筒壁を取り除き、断面が半楕円形の開口部３２を設けた形状である。すなわち弾性補強材３の両端は楕円筒状となっているが、中央部分はその長軸の半分まで筒壁が削除され、開口部３２となっている。この概略図を図３に示す。この弾性補強材３が長方形の跳躍板２の裏面に両短辺２３に沿って、弾性補強材３の開口部３２が互いに向かい合い跳躍板２に接合される。開口部３２の半楕円筒部分の接地面８と接する接地部の中央部に連結板４が接合され、開口部３２が互いに向かい合った弾性補強材３は連結板４により連結される。その連結板４中央部にクッション材９が取り付けられる。跳躍板２の中央部で跳躍が行われ、その中央部の下にクッション材９が置かれ、跳躍板２の跳躍運動による大きな変形を防ぎ、跳躍板２を支えるものである。そして連結板４も接地面８と接することになる。
【００１３】
ジャンピングボード１は大人も子供も使用することができ、クッション材９は、体重の重い人が使用した時に、ジャンピングボードの破損を防止する役割を果たす。クッション材としては、弾性を有するゴム、バネ他があり、後述するがボールであってもよい。図４にジャンピングボード１の正面図とクッション材の位置を示す。図１，２及び４では、クッション材は球形となっているが、クッション材の形状は問わない。また図４では、クッション材は、クッション材取り付け台９１に付けられているが、クッション材９の連結板４との取り付け方法は任意であり、ジャンピングボード１の使用の際に、クッション材９が連結板に固定されていれば足りる。さらに、連結板４上のクッション材９は、その強度により、跳躍板２と接している場合や離れている場合があるが、いずれであってもよい。
【００１４】
続いて、第２考案は、跳躍板、弾性補強材、連結板ともに、貼り重ねて積層して成形する第１考案のジャンピングボードである。
【００１５】
ガラス繊維強化プラスチックの成型方法には、貼り重ねる積層方法、金型を使用した射出成形方法等多くあるが、跳躍板、弾性補強材、連結板の形状や弾性率等を考慮した場合、貼り重ねる積層法により成形することが適切であり、この方法を採用するものである。グラスウールの綿状のチョップドストランドマットにローラー等を使ってポリエステルを含浸させ、さらにローラー等を使って脱泡させて含まれている空気を除き、この操作を繰り返し行い積層する。グラスウールのチョップドストランドマットとロービングクロスをポリエステルを含浸させつつ交互に積層する方法もある。チョップドストランドマットは板厚の厚さを確保するため、ロービングクロスは弾性率を高めるために使用される。積層する方法や積層回数は任意である。ここでロービングとは、繊維径１０〜２０μｍのガラス繊維を数百本撚りをかけずに収束させ（これをストランドという。）、これをさらに所定の本数に引き揃えて太くしたものをいい、ロービングを織物にしたものをロービングクロスという。
【００１６】
続いて、第３考案は、跳躍板が芯材を発泡ウレタンとするサンドウッチ構造を有する第１考案または第２考案のいずれかのジャンピングボードである。
【００１７】
材料を曲げるときには、外側に弾性率の大きい部分が存在すると曲がりにくくなり内側はあまり力を受け持たない。そこで、板の表面に強い材料を配置し中を空洞または軽く柔らかい層として曲げに対する弾性率を高くしつつ軽量化を図った構造をサンドイッチ構造という。跳躍板は、反発力を必要とし、板厚も厚くなるためサンドイッチ構造として軽量化も図るものである。
【００１８】
続いて、第４考案は、跳躍版の表面に滑り止めがついた第１考案から第３考案のいずれかのジャンピングボードである。
【００１９】
ガラス繊維強化プラスチックは水がつくと滑りやすくなる。そのため跳躍板上に滑り止めを付けることが必要である。跳躍での怪我を防止するためである。滑り止めとしては、ゴム板や市販の滑り止めシート等があり、これらを跳躍板に付けるものであり、跳躍板滑り止め５とする。
【考案の効果】
【００２０】
第１考案では、接地面で前後左右に動いたり、上下にバウンドせず、幼児が乗っても、大人が乗っても、足首や膝を痛めることなく、手軽に跳躍運動ができるジャンピングボードを提供するものである。
【００２１】
第２考案は、第１考案のジャンピングボードの成形方法を限定し耐久性のあるジャンピングボードとするものである。
【００２２】
第３考案は、跳躍板の反発力、耐久性を向上させ、さらに軽量化するためである。
【００２３】
第４考案は、跳躍板上で跳躍しているとき滑らないようにするためである。
【図面の簡単な説明】
【００２４】
【図１】図１は、ジャンピングボードの表面斜視図である。
【図２】図２は、ジャンピングボードの裏面斜視図である。
【図３】図３は、弾性補強材の見取り図と正面図である。
【図４】図４は、ジャンピングボードの正面図とクッション材の位置を示す図である。
【図５】図５は積層方法と接合方法を示した図である。
【図６】図６はサンドイッチ構造を示した図である。
【図７】図７は、なわとび台とジャンピングボードの大きさを示した図である。
【図８】図８は、試作品のジャンピングボードの表面と裏面の写真である。
【考案を実施するための形態】
【００２５】
本考案の実施例を以下に示す。
【実施例１】
【００２６】
図５にジャンピングボードが、ガラス繊維強化プラスチックを貼り重ねて積層し、接合されて成形される方法を示す。
先ず、型枠上にチョップドストランドマットを敷きポリエステルをウールローラーで含浸させ、鉄ローラーで脱泡させて内部の空気を除き、チョップドストランドマット層６１を成形させる。続いてロービングクロスを敷きポリエステルをウールローラーで含浸させ鉄ローラーで脱泡させてロービングクロス層６２を成形させる。弾性補強材、連結板はこの作業を５回繰り返して積層し成形した。
この成形されたガラス繊維強化プラスチックを接合するには、図５のように接合する部分を鋭角６３にして、これを型枠７に置き、その上に前記と同様の作業を行う。ポリエステルは接着性を有しているため、この作業によりガラス繊維強化プラスチックどうしが接合する。跳躍板２と弾性補強材３と連結板４とは、この方法で接合した。しかし接合方法はこれに限るものではなく、接合方法は問わない。
【００２７】
図６に芯材を発泡ウレタンとするサンドウッチ構造の成形方法を示す。先の方法により積層されたガラス繊維強化プラスチック上の中心部に台形の発泡ウレタン６４を置きその上面、及び左右の斜面及び底面の延長線上にチョップドストランドマットを敷きポリエステルを含浸させる。次に菱形の発泡ウレタン６５を台形の発泡ウレタンの左右に置き、同様に菱形の上面、斜面及び底面の延長上にチョップドストランドマットを敷きポリエステルを含浸させ、この作業を繰り返してサンドイッチ構造を形成させ、さらにその上に前記のようにガラス繊維強化プラスチックを積層させていく。本考案のジャンピングボード１の跳躍板２はこの方法により成形された。しかし、サンドイッチ構造の成形方法には多くの方法があり、この方法に限られるものではない。
【実施例２】
【００２８】
図７になわとび台とジャンピングボード１の大きさ等を示す。単位はｍｍである。ジャンピングボードはなわとび台に比べ、跳躍板２の面積は小さくなり、跳躍板２と接地面８との間隔は狭くなっているクッション材９を付けることにより、なわとび台と比べ小型化しても破損され難い構造となっている。また、試作品では、跳躍板２のサンドイッチ構造部２１の厚さは、１６〜１８ｍｍであり、単板部２２は５〜６ｍｍ、同じく単板である弾性補強材３及び連結板４も５〜６ｍｍである。なお、単板２２とはサンドイッチ構造ではなくガラス繊維強化プラスチックだけでできているものをいい、単板部とはサンドイッチ構造ではない部分をいう。ただし、上記に示したジャンピングボードの大きさや各部位の厚さは、例示であって、これに限るものではない。また、取手孔３１は持ち運びのため手をかけるためのものである。
【００２９】
図８に、試作品のジャンピングボード１を示す。（１）がその表面であり、（２）が裏面である。跳躍板２の表面に、跳躍板滑り止め５が貼られている。
クッション材９として硬球用テニスボールを用いた。硬球用テニスボールをクッション材として用いた場合、大人の男性がこの上で跳躍運動しても、ジャンピングボードは破損することはなく、続けてジャンピング運動ができた。試行錯誤の結果、クッション材９として、硬式用テニスボールが、容易に入手でき、連結板に粘着テープで取り付けることができ、耐久性もあり適していることが分かった。しかし、クッション材９として、硬式用テニスボールに限られるものではない。
【産業上の利用可能性】
【００３０】
ジャンピングボードの上で跳躍運動しても、ジャンピングボードは接地面上で水平移動や上下運動することなく安定している。そして、幼児が乗っても、大人が乗っても、足首や膝を痛めることなく、手軽に安全に跳躍運動ができることから今後利用が期待される。
【符号の説明】
【００３１】
１  ジャンピングボード
２  跳躍板  ２１  サンドイッチ構造部  ２２  単板部  ２３  短辺
３  弾性補強材  ３１  取手孔  ３２  開口部
４  連結板
５  跳躍板滑り止め
６１  チョップドストランドマット層  ６２  ロービングクロス層  ６３  鋭角の接合部
６４  台形の発泡ウレタン    ６５  菱形の発泡ウレタン
７  型枠
８  接地面
９  クッション材  ９１クッション材取り付け台
【図１】
0003161121.tif 000003
【図２】
0003161121.tif 000004
【図３】
0003161121.tif 000005
【図４】
0003161121.tif 000006
【図５】
0003161121.tif 000007
【図６】
0003161121.tif 000008
【図７】
0003161121.tif 000009
【図８】
0003161121.tif 000010